(57)【要約】【課題】  音楽の演奏をするときには、演奏者が演奏の合間に同じステージで演奏とは別の芸を披露することがある。このときに腹話術やコント等の他の芸にも利用出来る楽器を提供する。【解決手段】  手で操作する人形であるパペットと電子楽器を一体化し、パペットとその周辺の物理量の連続的な変化を検出してその変化に応じて、出力音声の周波数または音量が変化するようにしたものである。【選択図】        図１
0003119646.tif 000002
【実用新案登録請求の範囲】
【請求項１】
人の手の操作で形状の変わる人形が、該人形と該人形周辺の物理量の連続的な変化を検出し得る電気的検出手段を有し、該電気的検出手段の出力信号の変化に応じて、出力音声の周波数または音量が変化することを特徴とする電子楽器。
【考案の詳細な説明】
【技術分野】
【０００１】  本考案は人形の形状をした電子楽器に関する。
【背景技術】
【０００２】  従来の人形の形状をした電子楽器としては、マトリョミンというものがある。【０００３】  これは可動部を持たない人形であるマトリョーシカの内部に、連続的に周波数の変わる電子楽器であるテルミンを組み込んだものであって、人形の形状をしていながら楽器としての機能を有するものであり、観客に演奏を聞かせる上で、視覚的な面白さのあるものである。
【考案の開示】
【考案が解決しようとする課題】
【０００４】  音楽の演奏をするときには、演奏者が演奏の合間に観客に話をしたり、同じステージで演奏とは別の芸を披露することが頻繁にある。【０００５】  しかしながらマトリョミンでは外形が一切変化しないために、演奏以外の話や芸をするときには殆ど役に立つことがないという問題点があった。
【課題を解決するための手段】
【０００６】  本考案は、演奏者が演奏することに加えて人形の操作を様々に行い、観客により大きな楽しさを与えられるようにするために、形状の自由度の大きい手で操作する人形であるパペットと電子楽器を一体化したものである。【０００７】  このことにより、パペットの動きや、パペット周辺のものの動きに応じて楽器から出る音を変化させることが出来るようになる。【０００８】  例えば、パペットの口を開けると楽器の音が大きくなるようにすることで、観客にパペットが歌っているような感覚を与え、一層楽しい楽器にすることが出来る。その他にもパペットの手の動きや体の動きに応じて音を変化させることが出来る。【０００９】  パペットの内部に力の検出手段を備え、その力検出手段から得られる信号により出力音声の周波数または音量が決定されるようにすることで、口の開閉等の動作検出以外でもパペットの外見上は楽器としての操作部分が見えない状態で演奏出来る。【００１０】  力の検出手段としては、パペットの部材の微少な変形を歪みゲージや圧電素子を用いて検出することが出来る。パペット内部に風船状の感圧部を設け、加わる力を圧力に変換して圧力センサで検出することも出来る。【００１１】  パペットと周囲の物体との位置関係の検出手段を用いて、この検出手段から得られる信号により出力音声の周波数または音量が決定させるようにすることも出来る。この方式の検出手段として人体と楽器の間の電気的な容量の変化を用いたのがテルミンであるが、検出手段は容量変化に限るものではない。【００１２】  電子楽器を構成するには、出力音声の周波数または音量の操作部に加えて、電源部、音声信号発生部、信号増幅部、発音部等が必要であるが、これらはパペットに内蔵させても良い。【００１３】  また、操作部で得られた演奏の信号をテレメータでパペットから送信し、これを受信したパペットとは別体の装置で信号の処理を行っても良い。【００１４】  本パペット電子楽器に似たものとして、従来からパペットの内部にオルゴールや電子音の再生装置を組み込み、口をスイッチとした玩具があるが、これらは演奏者の意図に沿った高さの音を出したり、音の大きさを変えたりすることが出来ないので、メロディー楽器とも、リズム楽器とも言えないものであり、本考案とは本質的に異なるものである。
【考案の効果】
【００１５】  上述したように本考案の電子楽器は、演奏中の演奏者自身もより楽しく演奏できると同時に、観客にも視覚的に従来以上の楽しさを提供できる。【００１６】  また、演奏者は演奏と併せて腹話術やコントを披露することが出来、ステージ上の芸を一層充実したものにすることで、多くの人々に従来以上の楽しさと喜びを提供できるものである。
【考案を実施するために最良の形態】
【００１７】  パペットの口の開度を検出するセンサを配置し、このセンサの出力に比例した音程の変化か音量の変化が生じる電子楽器をパペットの内部に組み込む。
【実施例】
【００１８】  図１に、本パペット電子楽器を左手で操作している一例の断面図を示す。１はパペット。この例は口が開閉できるタイプで動作検出部２として口の開度のセンサを備えている。このセンサは例えばパペットの上顎と下顎の双方に電極を配置し、この二つの電極間の静電容量を測定することで達成できる。電極の代わりに二つのコイルを配置し、相互インダクタンスの変化を検出して口の開度を測定しても良い。【００１９】  ３は力検出部。この例では、パペットの右手の中に圧力を検出するセンサを備えている。この他にどのような物理量の変化を利用しても良い【００２０】  ４は制御回路部。２，３からの制御信号に応じた音声信号を発生する。５は増幅部。６は電源部。この例では乾電池を想定している。７は電気信号を音に変換するスピーカー。【００２１】  演奏者は左手で口の開閉操作を行い、右手はパペットの右手を握る。右手の握力で音の高さを制御し、左手で操作する口の開度を通して音の大きさを制御する。音の高さと大きさの制御は左右の手で逆であっても良い。【００２２】  図２は、本パペット電子楽器の信号系統ブロック図である。２，３，８の制御用信号検出部は最低限どれか一つがあれば良い。また、４，５，６，７は、パペット１の外部に図示しているが、これらの要素はパペットの内部に配置しても良い。
【図面の簡単な説明】
【００２３】
【図１】  本考案の実施形態を示すパペット電子楽器の断面図である。
【図２】  本考案の実施形態を示すパペット電子楽器の信号系統ブロック図である。
【符号の説明】
【００２４】  １  パペット
２  動作検出部
３  力検出部
４  制御部
５  増幅部
６  電源部（乾電池）
７  スピーカー
８  位置関係検出部
【図１】
0003119646.tif 000003
【図２】
0003119646.tif 000004
【手続補正書】
【提出日】平成17年7月19日(2005.7.19)
【手続補正１】
【補正対象書類名】実用新案登録請求の範囲
【補正対象項目名】請求項１
【補正方法】変更
【補正の内容】
人形の内部に挿入した人の手の動きで形状の変わる人形が、該人形または該人形周辺の物理量の連続的な変化を検出し得る電気的検出手段を有し、該電気的検出手段の出力信号の変化に応じて、出力音声の周波数または音量が変化することを特徴とする、人形の形状をした電子楽器。
本補正に関する説明（参考）
本件は平成１７年５月２３日に出願、
７月４日に請求項１と要約書の「手続補正書」と「技術評価請求書」及び、「早期審査に関する事情説明書」を提出しましたが、
この後６月３０日付・発送日７月１２日・発送番号００４０２４の手続き補正指令書を受領しましたので、この指令書に従った２度目の請求項１に関する「手続補正書」になります。
本手続補正書の内容を元に技術評価をお願いいたします。
【手続補正書】
【提出日】平成17年11月24日(2005.11.24)
【手続補正１】
【補正対象書類名】実用新案登録請求の範囲
【補正対象項目名】全文
【補正方法】変更
【補正の内容】
【実用新案登録請求の範囲】
【請求項１】
人形の内部に挿入した人の手の動きで形状の変わる人形が、該人形または該人形周辺の物理量の連続的な変化を検出し得る電気的検出手段を有し、該電気的検出手段の出力信号の変化に応じて、出力音声の周波数または音量が変化することを特徴とする、人形の形状をした電子楽器。